(57)【要約】【課題】  火災時に防火設備として機能する開閉装置の設置構造を提供する。【解決手段】  空間を仕切ったり開放したりして開閉動作する開閉体１０と、開閉体１０を幅方向の両端側で開閉方向へ案内するガイドレール２０と、開閉体１０をその開放方向側で収納したり繰り出したりする収納部３０とを具備して、耐火性を有する防火設備又は特定防火設備としての開閉装置を構成し、この開閉装置の耐火性部分を、耐火構造の建築物Ａの開口部ａ内縁に対し接触させるようにした。【選択図】  図１
2014070349.tif 000002
【特許請求の範囲】
【請求項１】
空間を仕切ったり開放したりして開閉動作する開閉体と、該開閉体を幅方向の両端側で開閉方向へ案内するガイドレールと、該開閉体をその開放方向側で収納したり繰り出したりする収納部とを具備して、耐火性を有する防火設備又は特定防火設備としての開閉装置を構成し、この開閉装置の耐火性部分を、耐火構造の建築物の開口部内縁に対し接触させるようにしたことを特徴とする開閉装置の設置構造。
【請求項２】
前記耐火性部分を、耐火構造の建築物の開口部内縁に対し全周にわたって接触させるようにしたことを特徴とする請求項１記載の開閉装置の設置構造。
【請求項３】
前記開口部が上縁、下縁、左縁及び右縁からなる矩形状に構成され、前記収納部を上縁に接触させ、左右の前記ガイドレールをそれぞれ左縁と右縁に接触させ、全閉状態の前記開閉体の閉鎖方向端部を下縁に接触させるようにしたことを特徴とする請求項１又は２記載の開閉装置の設置構造。
【請求項４】
前記収納部と前記上縁の間と、左側の前記ガイドレールと前記左縁の間、右側の前記ガイドレールの前記右縁の間、全閉状態の前記開閉体の閉鎖方向端部と前記下縁の間のうち、少なくとも一つの間に、耐火性を有する枠部材を設け、前記耐火性部分が前記枠部材を介して前記開口部内縁に接触するようにしたことを特徴請求項３記載の開閉装置の設置構造。
【請求項５】
前記収納部を前記上縁に直接接触させ、左右の前記ガイドレールをそれぞれ前記左縁と前記右縁に直接接触させ、全閉状態の前記開閉体の閉鎖方向端部と前記下縁の間には耐火性を有する枠部材を設けたことを特徴とする請求項３又は４記載の開閉装置の設置構造。
【請求項６】
前記収納部は、前記開閉体を収納する耐火性の収納部本体と、該収納部本体に対し内部で連通するとともに該収納部本体よりも開閉体厚さ方向へ大きく形成されて前記上縁に接触する耐火性の枠部とを有することを特徴とする請求項３乃至５何れか１項記載の開閉装置の設置構造。
【請求項７】
前記ガイドレールは、前記開閉体の幅方向端部を囲んで開閉方向へ案内するガイドレール本体と、該ガイドレール本体よりも開閉体厚さ方向へ大きく形成されるとともに前記左縁又は前記右縁に接触する枠部とから一体に構成されていることを特徴とする請求項３乃至６何れか１項記載の開閉装置の設置構造。
【請求項８】
前記開口部内縁に、矩形枠状の額材が設けられ、
前記収納部は前記額材の上辺部に貫通して前記上縁に接触し、左右の前記ガイドレールはそれぞれ前記額材の左辺部と右辺部に貫通して前記左縁と前記右縁に接触し、前記枠部材は前記額材の下辺部に貫通して前記下縁に接触していることを特徴とする請求項５乃至７何れか１項記載の開閉装置の設置構造。
【請求項９】
前記枠部材は、前記開口部内縁に接触する額材を、露出しないように耐火性のカバー部材により覆うことで構成され、
前記開閉装置の前記耐火性部分は、前記カバー部材を介して前記開口部内縁に接触することを特徴とする請求項７又は８記載の開閉装置の設置構造。
【請求項１０】
前記開口部にサッシ枠と該枠内で開閉する窓部とを具備し、
少なくとも前記収納部及び／又は前記ガイドレールを、前記サッシ枠と一体に構成したことを特徴とする請求項１乃至９何れか１項記載の開閉装置の設置構造。
【請求項１１】
前記開閉体の閉鎖方向端部と、該閉鎖方向端部によって全閉時に当接される着座対象部位とを、磁石の吸引力によって吸着するようにしたことを特徴とする請求項１乃至１０何れか１項記載の開閉装置の設置構造。
【発明の詳細な説明】
【技術分野】
【０００１】
本発明は、シャッター装置（スラットシャッター、シートシャッター、パネルシャッター及び２軸式シャッターを含む）や、オーバーヘッドドア、ロールスクリーン、オーニング等、空間を仕切ったり開放したりする開閉装置に関するものである。
【背景技術】
【０００２】
従来、この種の開閉装置には、上下方向へスライドする開閉体と、該開閉体をその両側で上下方向へ案内するガイドレールと、該開閉体を上方側で巻き取ったり繰り出したりする収納部とを備えた窓用シャッター装置がある。
この窓用シャッター装置には、建物開口部の屋外側に設けられるタイプ（特許文献１参照）、建物開口部の室内側に設けられるタイプ（特許文献２、図２参照）、建物開口部の枠内側に設けられるタイプ（特許文献２、図６参照）が知られている。
そして、このような窓用シャッター装置では、火災が発生した場合に、建物内の炎を外部へ出さない、建物外の炎を内部に入れない等、延焼防止のために、不燃性の材料を用いた防火設備（防火戸）として構成するのが好ましい。
【０００３】
ところで、前述した屋外側に設けられるタイプ（特許文献１参照）では、窓サッシが出窓である場合に、出窓用サッシとの干渉により、設置が困難になる場合がある。また、室内側に設けられるタイプ（特許文献２、図２参照）では、室内側へ突出するため、室内スペースを狭くしてしまう。
そこで、このような設置スペース上の課題を解消する観点からは、特に、建物開口部の枠内側に設けられるタイプ（特許文献２、図６参照）が好ましいことになるが、このタイプの窓用シャッター装置では、開口部内の上下左右の窓額（特許文献２の図６によればサッシ枠２１）が通常木製であるために、火災が発生した場合に、前記窓額が燃えて、炎や煙を通過させてしまうおそれがある。
【先行技術文献】
【特許文献】
【０００４】
【特許文献１】特開２００８−１３８３５７号公報
【特許文献２】特開２００６−２８３３２８号公報
【発明の概要】
【発明が解決しようとする課題】
【０００５】
本発明は上記従来事情に鑑みてなされたものであり、火災時に防火設備として機能する開閉装置の設置構造を提供することにある。
【課題を解決するための手段】
【０００６】
上記課題を解決するための一手段は、空間を仕切ったり開放したりして開閉動作する開閉体と、該開閉体を幅方向の両端側で開閉方向へ案内するガイドレールと、該開閉体をその開放方向側で収納したり繰り出したりする収納部とを具備して、耐火性を有する防火設備又は特定防火設備としての開閉装置を構成し、この開閉装置の耐火性部分を、耐火構造の建築物の開口部内縁に対し接触させるようにしたことを特徴とする。
【発明の効果】
【０００７】
本発明は、以上説明したように構成されているので、火災時に防火設備として機能する開閉装置の設置構造を提供することができる。
【図面の簡単な説明】
【０００８】
【図１】開閉装置の設置構造の一例を示す縦断面図。
【図２】同開閉装置の設置構造の横断面図。
【図３】同開閉装置の設置構造の正面図。
【図４】開閉装置の設置構造の他例を示す縦断面図。
【図５】同開閉装置の設置構造の横断面図。
【図６】開閉装置の設置構造の他例を示す縦断面図。
【図７】同開閉装置の設置構造の横断面図。
【図８】開閉装置の設置構造の他例を示す縦断面図。
【図９】同開閉装置の設置構造の横断面図。
【図１０】開閉装置の設置構造の他例を示す縦断面図。
【図１１】同開閉装置の設置構造の横断面図。
【図１２】開閉装置の設置構造の他例を示す縦断面図。
【図１３】同開閉装置の設置構造の横断面図。
【図１４】座板の一例を示す縦断面図。
【図１５】巻取体の一例を示す縦断面図。
【発明を実施するための形態】
【０００９】
本実施の形態の第一の特徴は、空間を仕切ったり開放したりして開閉動作する開閉体と、該開閉体を幅方向の両端側で開閉方向へ案内するガイドレールと、該開閉体をその開放方向側で収納したり繰り出したりする収納部とを具備して、耐火性を有する防火設備又は特定防火設備としての開閉装置を構成し、この開閉装置の耐火性部分を、耐火構造の建築物の開口部内縁に対し接触させるようにした（図１〜図１３参照）。
ここで、前記「接触」には、直接接触と、耐火性の枠部材等を介した間接接触とを含む。
前記構成によれば、開閉装置の耐火性部分が耐火構造の建築物の開口部に対し接触する。したがって、火災時に、開閉装置と開口部内縁との間の部材（例えば窓額）等が燃えて、開閉装置の内外に炎や煙が通過するようなことを抑制することができる。
【００１０】
第二の特徴としては、開閉装置の内外に炎や煙が通過するようなことをより効果的に抑制するために、前記耐火性部分を、耐火構造の建築物の開口部内縁に対し全周にわたって接触させるようにした。
【００１１】
第三の特徴としては、前記開口部が上縁、下縁、左縁及び右縁からなる矩形状に構成され、前記収納部を上縁に接触させ、左右の前記ガイドレールをそれぞれ左縁と右縁に接触させ、全閉状態の前記開閉体の閉鎖方向端部を下縁に接触させるようにした（図１〜図１３参照）。
この構成によれば、開口部の上縁、下縁、左縁及び右縁に対し、それぞれ、収納部、左右のガイドレール、全閉状態の開閉体の閉鎖方向端部が接触し、これらの間に炎や煙が通過するのを防ぐことができる。
【００１２】
第四の特徴としては、前記収納部と前記上縁の間と、左側の前記ガイドレールと前記左縁の間、右側の前記ガイドレールの前記右縁の間、全閉状態の前記開閉体の閉鎖方向端部と前記下縁の間のうち、少なくとも一つの間に、耐火性を有する枠部材を設け、前記耐火性部分が前記枠部材を介して前記開口部内縁に接触するようにした（図１〜図１３参照）。
この構成によれば、開閉装置と開口部内縁との間に炎や煙が通過するのを、これらの間に介在する耐火性の枠部材により防ぐことができる上、前記枠部材によって開閉装置を設置する際の施工性を向上したり、開口部の意匠性を向上したり等することも可能になる。
【００１３】
第五の特徴としては、前記収納部を前記上縁に直接接触させ、左右の前記ガイドレールをそれぞれ前記左縁と前記右縁に直接接触させ、全閉状態の前記開閉体の閉鎖方向端部と前記下縁の間には耐火性を有する枠部材を設けた（図４〜図７、図１２〜図１３参照）。
この構成によれば、収納部と上縁の間、及び左右のガイドレールと左右縁の間に炎や煙が通過するのを、これらの間の直接接触により阻むことができる。また、全閉した際の開閉体の閉鎖方向端部と開口部内縁の間に煙や炎が通過するのを、これらの間に介在する耐火性の枠部材によって阻むことができる。
【００１４】
第六の特徴としては、前記収納部は、前記開閉体を収納する耐火性の収納部本体と、該収納部本体に対し内部で連通するとともに該収納部本体よりも開閉体厚さ方向へ大きく形成されて前記上縁に接触する耐火性の枠部とを有する（図４及び図１２参照）。
この構成によれば、開閉体厚さ方向の幅が比較的大きい耐火性の枠部を有するため、収納部と上縁の間に炎や煙が通過するのをより効果的に阻むことができる上、収納部本体から枠部に連通する比較的広い内部空間を利用して開閉体を収納することができる。また、収納部本体を開口部の上縁に設置する際に、別体の枠材等を介在しなくてもよいため、その設置作業性を向上することができる。
【００１５】
第七の特徴としては、前記ガイドレールは、前記開閉体の幅方向端部を囲んで開閉方向へ案内するガイドレール本体と、該ガイドレール本体よりも開閉体厚さ方向へ大きく形成されるとともに前記左縁又は前記右縁に接触する枠部とから一体に構成されている（図５及び図１３参照）。
この構成によれば、開閉体厚さ方向の幅が比較的大きい枠部により、炎や煙を効果的に阻むことができる上、当該開閉装置を開口部内縁に設置する際に、別体の枠材等を介在しなくてもよいため、その設置作業性を向上することができる。
【００１６】
第八の特徴としては、前記開口部内縁に、矩形枠状の額材が設けられ、前記収納部は前記額材の上辺部に貫通して前記上縁に接触し、左右の前記ガイドレールはそれぞれ前記額材の左辺部と右辺部に貫通して前記左縁と前記右縁に接触し、前記枠部材は前記額材の下辺部に貫通して前記下縁に接触している（図６〜図７参照）。
この構成によれば、従来構造の額材を利用することができる上、収納部及びガイドレールを額材に貫通させて開口部内縁に接触させるようにしているため、万が一火災等により額材が燃えてしまったとしても、収納部又はガイドレールと開口部内縁との間に炎や煙が通過するのを阻むことができる。
【００１７】
第九の特徴としては、前記枠部材は、前記開口部内縁に接触する額材を、露出しないように耐火性のカバー部材により覆うことで構成され、前記開閉装置の前記耐火性部分は、前記カバー部材を介して前記開口部内縁に接触する（図８〜図９参照）。
この構成によれば、従来構造の額材を取り外すことなくそのまま利用して耐火性の枠部材を構成することができ、この枠部材によって開閉装置と開口部内縁との間に炎や煙が通過するのを防ぐことができる。
【００１８】
第十の特徴としては、前記開口部にサッシ枠と該枠内で開閉する窓部とを具備し、少なくとも前記収納部及び／又は前記ガイドレールを、前記サッシ枠と一体に構成した（図１０〜図１３参照）。
この構成によれば、収納部及びガイドレールがサッシ枠と一体に構成されるため、開口部内縁部の防火性をより向上することができる上、開口部にサッシ枠及び開閉装置を設置する際の作業性も良好である。
【００１９】
第十一の特徴としては、前記開閉体の閉鎖方向端部と、該閉鎖方向端部によって全閉時に当接される着座対象部位とを、磁石の吸引力によって吸着するようにした（図１４参照）。
この構成によれば、開閉体を全閉した際に、該開閉体の閉鎖方向端部が着座対象部位に吸着されるため、開閉体の閉鎖方向端部と着座対象部位との間に隙間が生じるのを防ぐことができ、ひいては、これらの間に炎や煙が通過するのをより効果的に防ぐことができる。
【００２０】
また、上記構成とは独立した他の一形態では、空間を仕切ったり開放したりして開閉動作する開閉体と、該開閉体を幅方向の両端側で開閉方向へ案内するガイドレールとを具備した開閉装置において、前記開閉体の閉鎖方向端部と、該閉鎖方向端部によって全閉時に当接される着座対象部位とを、磁石の吸引力によって吸着するようにする（図１４参照）。
この発明によれば、開閉体が全閉した際に、該開閉体の閉鎖方向端部と着座対象部位との間に隙間が生じるのを防ぐことができ、開閉体による閉鎖性や密閉性等を向上することができる。
【００２１】
なお、本明細書中において「開閉体厚さ方向」とは、閉鎖状態における上記開閉体の厚みの方向を意味する。
また、本明細書中において「開閉体幅方向」及び「開閉体の横幅方向」とは、上記開閉体の開閉方向と略直交する方向であって、上記開閉体の厚さ方向ではない前記開閉体の幅方向を意味する。
また、本明細書中において「開閉体開閉方向」とは、上記開閉体が空間を仕切ったり開放したりするためにスライドする方向を意味する。
また、本明細書中において開閉体の「面方向」とは、閉鎖状態で開閉体の表面又は裏面が連続する方向を意味し、この方向には、前記開閉体開閉方向及び前記開閉体幅方向を含む。
【００２２】
次に、上記形態の好ましい具体例を、図面に基づいて詳細に説明する。
以下に説明する開閉装置の設置構造は、住宅やビル、倉庫、工場、地下街、トンネル、車両の荷台等の躯体の開口部分や内部に配設され、前記開口部分を開閉したり、躯体内部の空間を仕切ったり開放したりするシャッター装置の設置構造として適用可能であるが、特に好ましい態様として、窓用シャッター装置の設置構造の一例を示す。
【００２３】
この設置構造は、開閉体１０を上下方向へスライドさせて開閉動作する開閉装置１を備え、この開閉装置１の耐火性部分を、耐火構造の建築物Ａの開口部ａの内縁（詳細には、上縁ａ１、下縁ａ２、左縁ａ３及び右縁ａ４）に対し、該内縁の全周にわたり連続して接触させる（図１〜図３参照）。
【００２４】
建築物Ａは、例えば一般住宅やビル等であり、開口部ａの内縁に、開閉装置１及び窓サッシｂを設けている。
この建築物Ａは、建築基準法第２条の５にて定義される主要構造部（壁、柱、床、はり、屋根又は階段等）を、耐火構造としている。
ここで、「耐火構造」とは、建築基準法施行令第１０７条に規定される技術的基準を満たす耐火構造を意味する。
【００２５】
開口部ａは、その内縁（上縁ａ１、下縁ａ２、左縁ａ３及び右縁ａ４）を、正面視矩形状に形成した孔であり（図３参照）、建築物Ａの外壁をその厚さ方向へ貫通している。この開口部ａの内縁（上縁ａ１、下縁ａ２、左縁ａ３及び右縁ａ４）、及び、開口部ａを貫通形成した内外の壁等は、前記「耐火構造」を有するように構成される。
【００２６】
開閉装置１は、空間を仕切ったり開放したりして上下方向へ開閉動作する開閉体１０と、該開閉体１０を横幅方向の両端側で開閉方向へ案内するガイドレール２０，２０と、該開閉体１０をその開放方向側で収納したり繰り出したりする収納部３０とを具備し、開口部ａ内縁に対し枠部材４０，５０，６０を介して接触することで、耐火性を有する防火設備又は特定防火設備（本実施の形態の一例では防火設備）を構成している。
【００２７】
前記「防火設備又は特定防火設備」とは、建築基準法第２条第九号の二ロ、建築基準法第６４条、建築基準法施行令第１０９条の２、建築基準法施行令第１３６条の２の３、建築基準法施行令第１１２条第１項、平成１２年建設省告示１３６０号、平成１２年建設省告示１３６９号等に規定される「防火設備」又は「特定防火設備」を意味する。
【００２８】
開閉体１０は、全閉時に建築物Ａの開口部の略全面を仕切る本体シート部１１（図１参照）と、該本体シート部１１の最下端部に接続された座板部材１２（図１参照）と、該本体シート部１１の上端部に止着固定された固定部材１３（図１５参照）とを具備している。
【００２９】
本体シート部１１は、例えば、ガラスクロスやシリカクロス等の難燃性布地や、フッ素加工を施した塩化ビニル樹脂シート材、ガラス繊維を含んだ合成樹脂シート材等、遮煙性及び耐火性（難燃性を含む）を有する可撓性シート材料によって構成される。この本体シート部１１は、複数のシート材を上下方向、左右方向又は斜め方向へ接続してなる態様であってもよいし、単数のシート材からなる態様としてもよい。
【００３０】
座板部材１２は、開閉体１０における幅方向の略全長にわたって本体シート部１１の下端に接続され、開閉体１０の全開時には収納部３０の下端面に当接し、開閉体１０の全閉時には、着座対象部位ｐとなる枠部材６０に当接することで閉鎖性を良好にするとともに、その自重により本体シート部１１を下方へ引っ張って、本体シート部１１に撓みや皺等が発生するのを防ぐ。
この座板部材１２は、詳細に説明すれば、本体シート部１１の下端側に止着固定される固定部材１２ａと、該固定部材１２ａ及び本体シート部１１下端側を厚さ方向の両側から挟む一半部１２ｂ１と他半部１２ｂ２により構成される座板本体１２ｂと、該座板本体１２ｂ内の下端側に必要に応じて設けられる磁石１２ｃとを具備して一体的に構成される（図１４参照）。
【００３１】
固定部材１２ａは、本体シート部１１の下端側を開閉体厚さ方向の両側から挟むようにして止着される一半部１２ａ１と他半部１２ａ２とから構成される。
一半部１２ａ１と他半部１２ａ２の各々は、本体シート部１１の横幅方向の略全長にわたるとともに、耐火性を有する長尺状の剛性部材（例えば、アルミニウム合金や鉄、真鍮、ステンレス等の金属材料）である。この固定部材１２ａを止着する手段は、ねじ止めや、リベット止め、嵌合等とすればよい。
【００３２】
座板本体１２ｂを構成する一半部１２ｂ１及び他半部１２ｂ２は、耐火性を有する剛性材料（例えば、アルミニウム合金や鉄、真鍮、ステンレス等の金属材料）によって、本体シート部１１の横幅方向の略全長にわたり且つその幅方向の端部がガイドレール２０に内在するように形成される。
【００３３】
一半部１２ｂ１及び他半部１２ｂ２の内部には、固定部材１２ａを上下動不能に係止するための係止空間１２ｂ１１や、磁石１２ｃを上下動不能に内在する空間１２ｂ１２、当該座板本体１２ｂの軽量化のための肉ぬすみとなる空間１２ｂ１３、当該座板本体１２ｂと全閉時の着座対象部位ｐ（枠部材）との接触面積を減らす空間１２ｂ１４等が設けられる（図１４参照）。
これらの空間のうち、開閉体１０最下端に位置する空間１２ｂ１４は、開閉体１０の最下端面に、開閉体幅方向の全長にわたって下方向きに開口する溝を形成している。この構成によれば、開閉体１０の全閉時、座板本体１２ｂの下端面は、空間１２ｂ１４を開閉体厚さ方向の両側から挟む二箇所の縁部分１２ｂ２１，１２ｂ２２によって部分的に着座対象部位ｐに当接する。ひいては、座板本体１２ｂの下端面を厚さ方向（図１４によれば左右方向）の全面で着座対象部位ｐに当接させた場合と比較し、座板本体１２ｂと着座対象部位ｐの当接状態が安定し、これらの間を厚さ方向へ貫通する隙間を生じ難い。
【００３４】
磁石１２ｃは、座板本体１２ｂの下端側に内在し、その吸引力によって座板本体１２ｂを着座対象部位ｐに吸着させる。着座対象部位ｐ側には、磁石１２ｃによって吸引可能な図示しない金属材料（例えば、鉄や磁性を有するステンレス等）又は磁石等が設けられる。あるいは、着座対象部位ｐ自体を磁性金属材料としてもよい。
なお、磁石１２ｃによる吸引力をより効果的に発揮するためには、磁石１２ｃを座板本体１２ｂの最下端部に設けて着座対象部位ｐに当接させるようにしたり、座板本体１２ｂを磁性体（例えば、鉄や、磁性を有するステンレス等）によって形成したり等してもよい。
また、座板本体１２ｂの重量のみで十分な閉鎖性を得られれば、磁石１２ｃを省くことも可能である。
【００３５】
また、開閉体１０上端側の固定部材１３は、上述した固定部材１２ａの一半部１２ａ１又は他半部１２ａ２と同一の部材であり、本体シート部１１の上端側に横幅方向の略全長にわたって止着されている。この固定部材１３は、後述する巻取体３２の凹部３２ａ内に嵌め合せられる。
【００３６】
ガイドレール２０は、開閉体１０の左右両端側にそれぞれ設けられている。
各ガイドレール２０は、耐火性の剛性材料（例えば、アルミニウム合金や、ステンレス、鉄等の金属材料）によって、開閉体１０（詳細には本体シート部１１及び座板本体１２ｂ）の幅方向の端部を囲む断面略コ字状に形成され、前記着座対象部位ｐ（図１及び図２の一例によれば枠部材６０）と巻取装置３０との間にわたって配設されている。
各ガイドレール２０は、図２に示すように、後述する枠部材４０を介して、開口部ａの左縁ａ３又は右縁ａ４に接触している。
【００３７】
収納部３０は、開閉体１０の上方側で該開閉体１０を収納したり繰り出したりする矩形箱状の収納部本体３１と、収納部本体３１内で回転するように支持された巻取体３２と、巻取体３２を巻取り方向へ付勢するバランススプリング（図示せず）とを具備している。
【００３８】
収納部本体３１は、開閉体幅方向へわたる縦断面Ｌ字状のケース部３１ａと、該ケース部３１ａに対向する縦断面Ｌ字状を呈し該ケース部３１ａに対し着脱可能に止着された蓋部３１ｂとから矩形箱状に構成され、その下端面に開閉体１０を通過させる開口３１ｃを有する。
ケース部３１ａと蓋部３１ｂは、それぞれ、耐火性を有する剛性材料（例えば、アルミニウム合金や、ステンレス、鉄等の金属材料）から成形される。
そして、収納部本体３１は、ケース部３１ａを、枠部材５０を介して開口部ａの上縁ａ１に接触させている。すなわち、ケース部３１ａの上端面が枠部材５０の枠内側の面に止着され、枠部材５０が開口部ａの上縁ａ１に接触するようにして固定される。
【００３９】
巻取体３２は、耐火性の剛性材料（例えば、アルミニウム合金や、ステンレス、鉄等の金属材料）によって略円筒状に形成され、図示しない軸部材やベアリグ等を介して、収納部本体３１の側端部に対し双方向へ回転するように支持される。
この巻取体３２の外周部には、開閉体１０の上端部を接続するための凹部３２ａ（図１５参照）が設けられる。この凹部３２ａは、巻取体３２の外周面から径内方向（換言すれば、該巻取体３２の中心へ向かう方向）へ凹設されるとともに、巻取体３２の軸方向へ連続する略溝状に形成され、その開口縁部分の幅ｗ１（図１５参照）を、その溝内の奥側部分よりも周方向に狭く形成している。また、この凹部３２ａ内は、巻取体周方向の一方側の懐部３２ａ１が、他方側の懐部３２ａ２よりも周方向へ深く形成される。
この凹部３２ａには、開閉体１０上端の固定部材１３が嵌め合せられる。固定部材１３は、巻取体周方向の幅ｗ２が、凹部３２ａの開口縁部分の幅ｗ１よりも巻取体周方向へ長く設定される。
この固定部材１３を凹部３２ａ内に挿入する手順について説明すれば、先ず、固定部材１３の巻取体周方向の一端側が凹部３２ａ内の深い方の懐部３２ａ１の奥まで挿入され、その後に、同固定部材１３の巻取体周方向の他端側が凹部３２ａ内の浅い方の懐部３２ａ２に嵌め合せられる。
これら固定部材１３及び凹部３２ａの構成及び嵌合手順によれば、開閉体１０の上端部を容易に巻取体３２外周部に止着固定することができる。
【００４０】
枠部材４０，４０，５０，６０は、それぞれ、耐火性を有する剛性材料（例えば、アルミニウム合金や、ステンレス、鉄等の金属材料）から成形される。
【００４１】
枠部材４０は、ガイドレール２０と、開口部ａの左縁ａ３又は右縁ａ４との間に設けられる。
この枠部材４０は、横断面無端枠状に形成され上下方向へ連続する枠本体４１と、該枠本体４１から開口部縁側へ突出して上下方向へ連続する複数（図示例によれば二つ）の突リブ４２，４２とから一体に形成される。
そして、この枠部材４０は、突リブ４２，４２を開口部ａの左縁ａ３又は右縁ａ４に当接させて固定されるとともに、その枠内側の面に、ガイドレール２０を止着固定している。
【００４２】
枠部材５０は、収納部本体３１と、開口部ａの上縁ａ１との間に設けられる。
この枠部材５０は、横断面無端枠状に形成され開閉体幅方向へ連続する枠本体５１と、該枠本体５１から開口部縁側へ突出して開閉体幅方向へ連続する複数（図示例によれば二つ）の突リブ５２，５２とから一体に形成される。
そして、この枠部材５０は、突リブ５２，５２を開口部ａの上縁ａ１に当接させて固定されるとともに、その枠内側の面に、収納部本体３１を止着固定している。
【００４３】
枠部材６０は、全閉状態の開閉体１０の最下端部と、開口部ａの下縁ａ２との間に設けられる。
この枠部材６０は、上記枠部材５０と上下対称に形成され、枠部材５０と同様に、枠本体６１と、該枠本体６１から開口部縁側へ突出して開閉体幅方向へ連続する複数（図示例によれば二つ）の突リブ６２，６２とから一体に形成される。
そして、この枠部材６０は、突リブ６２，６２を開口部ａの下縁ａ２に当接させて固定されるとともに、その枠内側の面に、全閉時の開閉体１０の最下端部を当接させる。
【００４４】
上記構成の開閉装置１を開口部ａ内に設置する手順は、先ず、開口部ａの上縁ａ１，下縁ａ２，左縁ａ３，右縁ａ４に対し、枠部材４０，４０，５０，６０がそれぞれ別々に固定される。そして、これら枠部材４０，４０，５０，６０の内側に、開閉装置１が設置される。
なお、設置手順の他例としては、予め矩形枠状に構成した枠部材４０，４０，５０，６０を開口部ａ内に装着し、装着された枠部材４０，４０，５０，６０の内側に開閉装置１を設置する方法や、予め枠部材４０，４０，５０，６０及び開閉装置１を一体的に構成し、これらを開口部ａ内に装着する方法等とすることも可能である。
【００４５】
また、窓サッシｂは、枠部材４０，４０，５０，６０に対し、その屋外側に接触して設けられるとともに、開口部ａ内から屋外に跨るようにして配設され、所謂出窓を構成している。
この窓サッシｂは、詳細に説明すれば、開口部ａ内縁に接触するとともに奥側開閉装置１側へ突出する矩形枠状のサッシ枠ｂ１と、該サッシ枠ｂ１内で開閉する窓部ｂ２とを具備してなる。
【００４６】
サッシ枠ｂ１は、開口部ａの上縁ａ１に接触するとともに枠内側に窓部ｂ２を横幅方向へ案内するレールを有する上枠部ｂ１１と、開口部ａの下縁ａ２に接触するとともに枠内側に窓部ｂ２を横幅方向へ案内するレールを有する下枠部ｂ１２と、開口部ａの左縁ａ３に接触して上下方向へ延びる左枠部ｂ１３と、開口部ａの右縁ａ４に接触して上下方向へ延びる右枠部ｂ１４とから構成される。
【００４７】
窓部ｂ２は、サッシ枠ｂ１内で左右方向へスライドするように複数（図示例によれば二つ）設けられ、所謂引違い窓を構成している。
【００４８】
次に、上記開閉装置１の設置構造について、特徴的な作用効果を説明する。
開閉体１０を手動で閉鎖動作し、該開閉体１０の閉鎖方向端部を枠部材６０に当接させれば、開閉装置１の耐火性部分が耐火構造の建築物Ａの開口部ａの内縁に対し、耐火性の枠部材４０，４０，５０，６０を介して、全周にわたって連続して接触する。
したがって、火災時に、全閉状態の開閉装置１の内外へ炎や煙が通過するようなことを防ぐことができ、特に、開閉装置１と開口部ａの内縁との間へ炎や煙が通過するのを、耐火性の枠部材４０，４０，５０，６０によって阻むことができる。
また、窓サッシｂと並列する開閉装置１を防火設備又は特定防火設備として構成しているため、窓サッシｂについては防火設備又は特定防火設備として構成しなくても済む。
【００４９】
次に、開閉装置の設置構造の他例について説明する。なお、以下に説明する開閉装置の設置構造は、上述した開閉装置１の設置構造を一部変更したものであるため、特にその変更部分について詳細に説明し、略同様の部分については重複する詳細説明を適宜省略する。
【００５０】
図４及び図５に示す開閉装置２の設置構造は、上述した開閉装置１の設置構造（図１〜図３参照）に対し、上記開閉装置１を開閉装置２に置換したものである。
【００５１】
開閉装置２は、上記開閉装置１に対し、上側の枠部材５０、左右の枠部材４０，４０を省き、上記収納部３０を収納部３０’に置換し、左右のガイドレール２０，２０を枠部材２０’，２０’に置換した構成とされる。
そして、この開閉装置２は、収納部３０’を開口部ａの上縁ａ１に直接接触させ、左右のガイドレール２０，２０をそれぞれ開口部ａの左縁ａ３と右縁ａ４に直接接触させ、全閉状態の開閉体１０の閉鎖方向端部を、耐火性の枠部材６０を介して間接的に開口部ａの右縁ａ４に接触させる。
【００５２】
収納部３０’は、図４に示すように、開閉体１０を収納する耐火性の収納部本体３１’と、該収納部本体３１’に対し内部で連通するとともに該収納部本体よりも開閉体厚さ方向へ大きく形成されて上縁ａ１に接触する枠部３３’とを一体に有し、これら収納部本体３１’及び枠部３３’の内部に、回転可能に巻取体３２を支持している。
【００５３】
収納部本体３１’及び枠部３３’は、上述した収納部本体３１（図１参照）と枠部材５０とを連結するとともに、これらの内部空間を連通させた形状に構成される。
そして、収納部本体３１’は、上記収納部本体３１と同様にして、屋内側における下側の部分に、着脱可能に蓋部３１ｂを有する。
また、枠部３３’は、上記枠部材５０と同様にして、上端面に突リブ５２，５２を一体に有する。
また、巻取体３２は、図４に示すように、収納部本体３１’内の空間から枠部３３’内の空間に跨るようにして設けられる。
【００５４】
また、枠部材２０’は、図５に示すように、開閉体１０の幅方向端部を囲んで開閉方向へ案内するガイドレール本体２１’と、該ガイドレール本体２１’よりも開閉体厚さ方向へ大きく形成されるとともに開口部ａの左縁ａ３又は右縁ａ４に接触する枠部２２’とから一体に構成されている
【００５５】
ガイドレール本体２１’及び枠部２２’は、上述したガイドレール本体２１（図２参照）と枠部材４０とを連結するとともに、これらの内部空間を連通させた形状に構成される。
枠部２２’は、上記枠部材４０と同様にして、開口部内縁側の面に、突リブ４２，４２を有する。
【００５６】
前記構成の枠部材２０’は、ガイドレール本体２１に開閉体１０の幅方向の端部を嵌め合せるとともに、突リブ４２，４２を左縁ａ３又は右縁ａ４に当接させて固定される。
【００５７】
よって、図４及び図５に示す開閉装置２の設置構造によれば、開閉体厚さ方向の幅が比較的大きい耐火性の枠部２２’，３３’を一体的に有するため、これら枠部２２’，３３’によって、火災時に炎や煙の通過を効果的に阻むことができる。その上、収納部本体３１’から枠部３３’に連通する比較的広い内部空間を利用して巻取体３２及び該巻取体３２に巻かれた開閉体１０を収納することができ、ひいては、収納部３０’の上下寸法を小型化することが可能である。また、収納部本体３１’を上縁ａ１に固定する際に、別体の枠材等を介在しなくてもよいため、その設置作業性が良好である。
【００５８】
次に、図６及び図７に示す開閉装置３の設置構造について説明する。この設置構造は、上述した開閉装置１の設置構造（図１〜図３参照）に対し、上記開閉装置１を開閉装置３に置換するとともに、左右側の枠部材４０，４０及び上側の枠部材５０を省き、開閉装置３を、矩形枠状の額材ｃに貫通させるようにして開口部ａの内縁に接触させたものである。
【００５９】
額材ｃは、例えば、木材や合成樹脂材料等からなり、詳細には、上辺部ｃ１、下辺部ｃ２、左辺部ｃ３及び右辺部ｃ４を、開口部ａに沿って矩形枠状に構成してなる。この額材ｃは、予め矩形枠状に成形されたものを開口部ａ内に嵌め合せるようにしてもよいし、上下左右の前記辺部ｃ１，ｃ２，ｃ３，ｃ４を開口部ａ内に嵌め合せて矩形枠状に構成したものであってもよい。
なお、この額材ｃは、難燃性又は耐火性を有することが好ましいが、難燃性及び耐火性を有さない態様とすることも可能である。
【００６０】
開閉装置３は、開閉装置１（図１参照）と略同構成であるが、開閉装置１に対し、上側の枠部材５０を省いた分、開閉体１０及びガイドレール２０を上下方向へ長く形成している。
この開閉装置３の収納部３０は、額材ｃの上辺部ｃ１の屋外側端部に接触するとともに開口部ａの上縁ａ１に直接接触している（図６参照）。また、同開閉装置３の左右のガイドレール２０は、それぞれ、額材ｃの左辺部ｃ３と右辺部ｃ４の屋外側端部に接触するとともに開口部ａの左縁ａ３と右縁ａ４に直接接触している（図７参照）。
【００６１】
開閉装置３の下方側には、全閉時の開閉体１０の下端を当接させるように枠部材６０’が設けられる。この枠部材６０’は、開閉体幅方向へ連続する縦断面矩形枠状に形成され、額材ｃの下辺部ｃ２の屋外側端部に接触するとともに開口部ａの下縁ａ２に直接接触している（図６参照）。
【００６２】
なお、図示例では、開閉装置３及び枠部材６０’が額材ｃの屋外側端部に接触するとともに開口部ａ内縁に直接接触する構造としているが、他例としては、額材ｃに厚み方向の貫通孔を設け、該貫通孔に開閉装置３及び枠部材６０’を挿通してこれら開閉装置３及び枠部材６０’を開口部ａ内縁に直接接触させるようにしてもよい。
【００６３】
よって、図６及び図７の開閉装置３の設置構造によれば、万が一火災等により額材ｃが燃えた場合であっても、開閉装置３の耐火性部分が、耐火性を有する開口部ａの内縁に対し接しているため、開閉装置３と開口部ａ内縁との間に炎や煙等が貫通するのを阻むことができる。
また、開閉装置３及び枠部材６０’等を額材ｃに貫通させて開口部ａ内縁に接触させる構造であるため、開閉体１０によって開閉される開口（換言すれば開閉体１０の開閉ストローク）を比較的大きく確保することができる。
また、木材等の従来の額材を加工して上記額材ｃを構成したり、既設の額材を再加工して上記額材ｃを構成したり等することも可能である。
【００６４】
次に、図８及び図９に示す開閉装置４の設置構造について説明する。この設置構造は、上述した開閉装置１の設置構造（図１〜図３参照）に対し、上下の枠部材５０，６０を枠部材５０”，６０”に、左右の枠部材４０，４０を枠部材４０”，４０”にそれぞれ置換した構成とされる。開閉装置４は、上記開閉装置１と同構成である。
【００６５】
上側の枠部材５０”は、開口部ａの内縁に接触する額材５１”を、露出しないように耐火性のカバー部材５２”により覆うことで構成される。ここで、前記「露出しない」とは、額材５１”が、枠内側、室内側（図８によれば建築物Ａよりも右側）及び屋外側に露出しないことを意味する。
そして、枠部材５０”の下端側の露出面（カバー部材５２”の下面）には、収納部３０が止着される。すなわち、開閉装置４の耐火性部分である収納部３０は、カバー部材５２”を介して開口部ａの上縁ａ１に接触することになる。
【００６６】
額材５１”は、例えば、木材や合成樹脂材料等から開閉体幅方向へ連続する断面矩形状に形成され、耐火性や難燃性を有さない従来構造の額材や、既設の額材を利用することが可能である。
【００６７】
カバー部材５２”は、耐火性の材料（例えば、アルミニウム合金や、ステンレス、鉄等の金属材料）から形成され、開口部ａに設置された状態の額材５１”を露出させないように覆っている。このカバー部材５２”は、図示例によれば、断面横向きＬ字状に形成されるとともに開閉体幅方向へ連続している。
このカバー部材５２”は、図８に示すように、例えば、先に開口部ａに固定された額材５１”に対し、屋内側から被せるようにして装着される。なお、他例としては、予め額材５１”とカバー部材５２”を一体に構成し、これらを開口部ａに装着するようにしてもよい。
そして、装着状態のカバー部材５２”の下面には、収納部３０上端が接触する。また、カバー部材５２”の室内側（図８によれば右端側）の上端部は、屋外側（図８によれば左側）へ曲げられて建築物Ａの内壁面（耐火構造）に接する。
【００６８】
枠部材６０”は、図８に示すように、枠部材５０”を上下対称にした構成とされ、枠部材５０”と同様にして、開口部ａの下縁ａ２に固定された額材６１”と、該額材６１”を露出しないように覆う断面横向きＬ字状のカバー部材６２”とを有する。
カバー部材６２”の上面には、全閉時の開閉体１０の下端が接触し、同カバー部材６２”の室内側の下端部は、屋外側へ曲げられて建築物Ａの内壁面（耐火構造）に接する。
【００６９】
また、左右の枠部材４０”，４０”は、図９に示すように、それぞれ、枠部材５０”又は枠部材６０”を、開口部ａの枠内側中心を軸にして角度９０°回転させた構成とされ、枠部材５０”又は枠部材６０”と同様にして、開口部ａの左縁ａ３又は右縁ａ４に固定された額材４１”と、該額材４１”を露出しないように覆う断面横向きＬ字状のカバー部材４２”とを有する。
各枠部材４０”の枠内側の側面には、ガイドレール２０の背面部が接触し、各枠部材４０”の室内側の枠外側端部は、屋外側へ曲げられて建築物Ａの内壁面（耐火構造）に接する。
【００７０】
よって、図８及び図９に示す開閉装置４の設置構造によれば、火災時に開閉装置４と開口部ａ内縁との間に炎や煙等が通過するのを、耐火性のカバー部材４２”，４２”，５２”，６２”によって阻むことができる。
また、既設の額材４１”，４１”，５１”，６１”に対し、後付でカバー部材４２”，４２”，５２”，６２”を設置することも可能であり、施工性に優れている。
【００７１】
次に、図１０及び図１１に示す開閉装置５の設置構造について説明する。この設置構造は、上述した開閉装置１の設置構造（図１〜図３参照）に対し、窓サッシｂの上枠部ｂ１１及び上側の枠部材５０を枠部材７１に置換し、窓サッシｂの下枠部ｂ１２及び下側の枠部材６０を枠部材７２に置換し、窓サッシｂの左側の左枠部ｂ１３及び左側の枠部材４０を枠部材７３に置換し、窓サッシｂの右側の枠部材４０を枠部材７４に置換した構成とされる。開閉装置５は、上記開閉装置１と同構成である。
【００７２】
枠部材７１は、開閉装置１の設置構造（図１〜図３参照）における窓サッシｂの上枠部ｂ１１と上側の枠部材５０とを一体にした形状を呈し、枠部材５０に対応する形状の開閉装置側枠部７１ａと、上枠部ｂ１１に対応する形状の窓サッシ側枠部７１ｂとを有する。開閉装置側枠部７１ａの上端面には、上縁ａ１に当接させるための複数のリブ７１ａ１が設けられる。
【００７３】
枠部材７２は、開閉装置１の設置構造（図１〜図３参照）における窓サッシｂの下枠部ｂ１２と下側の枠部材６０とを一体にした形状を呈し、枠部材６０に対応する形状の開閉装置側枠部７２ａと、下枠部ｂ１２に対応する形状の窓サッシ側枠部７２ｂとを有する。開閉装置側枠部７２ａの下端面には、下縁ａ２に当接させるための複数のリブ７２ａ１が設けられる。
【００７４】
枠部材７３は、開閉装置１の設置構造（図１〜図３参照）における窓サッシｂの左枠部ｂ１３と左側の枠部材４０とを一体にした形状を呈し、左側の枠部材４０に対応する形状の開閉装置側枠部７３ａと、左枠部ｂ１３に対応する形状の窓サッシ側枠部７３ｂとを有する。開閉装置側枠部７３ａの左端面には、左縁ａ３に当接させるための複数のリブ７３ａ１が設けられる。
【００７５】
枠部材７４は、開閉装置１の設置構造（図１〜図３参照）における窓サッシｂの右枠部ｂ１４と右側の枠部材４０とを一体にした形状を呈し、右側の枠部材４０に対応する形状の開閉装置側枠部７４ａと、右枠部ｂ１４に対応する形状の窓サッシ側枠部７４ｂとを有する。開閉装置側枠部７４ａの右端面には、右縁ａ４に当接させるための複数のリブ７４ａ１が設けられる。
【００７６】
上記構成の枠部材７１，７２，７３，７４は、それぞれ、開口部ａの内縁に固定され、これら全体でもって矩形枠状に構成される。
【００７７】
そして、上記構成の枠部材７１，７２，７３，７４内には、上述した開閉装置１の設置構造（図１及び図２参照）と略同様にして、開閉装置１と同構造の開閉装置５、及び窓部ｂ２，ｂ２が設置される。
【００７８】
よって、図１０及び図１１に示す開閉装置５の設置構造によれば、開閉装置５周囲の枠部材７１，７２，７３，７４の開口部ａ貫通方向の厚みを増加させるとともに、これら枠部材７１，７２，７３，７４と建築物Ａ（耐火構造）との接触箇所を増やすことができ、ひいては、火災時に開閉装置５と開口部ａ内縁との火炎や煙等が通過するのを、枠部材７１，７２，７３，７４によって効果的に阻むことができる。
【００７９】
次に、図１２及び図１３に示す開閉装置６の設置構造について説明する。この設置構造は、上述した開閉装置１の設置構造（図１〜図３参照）に対し、窓サッシｂの上枠部ｂ１１、上側の枠部材５０及び収納部本体３１を枠部材８１に置換し、窓サッシｂの下枠部ｂ１２及び下側の枠部材６０を枠部材８２に置換し、窓サッシｂの左側の左枠部ｂ１３、左側の枠部材４０及びガイドレール２０を枠部材８３に置換し、窓サッシｂの右側の枠部材４０及びガイドレール２０を枠部材８４に置換した構成とされる。
【００８０】
枠部材８１は、開閉装置１の設置構造（図１〜図３参照）における窓サッシｂの上枠部ｂ１１と上側の枠部材５０と収納部本体３１とを一体にした形状を呈し、収納部本体３１に対応する形状の収納部本体８１ｂと、該収納部本体８１ｂに対し内部で連通するとともに該収納部本体８１ｂよりも開閉体厚さ方向へ大きく形成されて上縁ａ１に接触する開閉装置側枠部８１ａと、上枠部ｂ１１に対応する形状の窓サッシ側枠部８１ｃとを有する。開閉装置側枠部８１ａの上端面には、上縁ａ１に当接させるための複数のリブ８１ａ１が設けられる。収納部本体８１ｂには、着脱可能な蓋部８１ｂ２が設けられる。
そして、この枠部材８１は、上記収納部３０と同様にして収納部本体８１ｂ内に巻取体３２を具備し、この巻取体３２によって開閉体１０を巻き取ったり繰り出したりする。
【００８１】
枠部材８２は、図１０に示す上記開閉装置５の設置構造の枠部材７２と略同構成であり、枠部材６０に対応する形状の開閉装置側枠部８２ａと、下枠部ｂ１２に対応する形状の窓サッシ側枠部８２ｂとを有する。開閉装置側枠部８２ａの下端面には、下縁ａ２に当接させるための複数のリブ８２ａ１が設けられる。
そして、この枠部材８２は、開閉体１０が全閉した際に、該開閉体１０の閉鎖方向端部を当接させる着座対象部位ｐとして機能する。
【００８２】
枠部材８３は、開閉装置１の設置構造（図１〜図３参照）における窓サッシｂの左枠部ｂ１３と左側の枠部材４０とガイドレール２０とを一体にした形状を呈し、ガイドレール２０に対応する形状のガイドレール本体８３ｃと、該ガイドレール本体８３ｃよりも開閉体厚さ方向へ大きく形成されるとともに左縁ａ３に接触する開閉装置側枠部８３ａと、左枠部ｂ１３に対応する形状の窓サッシ側枠部８３ｂとを有する。開閉装置側枠部８３ａの左端面には、左縁ａ３に当接させるための複数のリブ８３ａ１が設けられる。
そして、この枠部材８３は、ガイドレール本体８３ｃによって開閉体１０の幅方向端部を囲み上下方向へ案内する。
【００８３】
枠部材８４は、枠部材８３と左右対称に構成され、ガイドレール２０に対応する形状のガイドレール本体８４ｃと、該ガイドレール本体８４ｃよりも開閉体厚さ方向へ大きく形成されるとともに右縁ａ４に接触する開閉装置側枠部８４ａと、右枠部ｂ１４に対応する形状の窓サッシ側枠部８４ｂとを有する。開閉装置側枠部８４ａの右端面には、右縁ａ４に当接させるための複数のリブ８４ａ１が設けられる。
そして、この枠部材８４は、ガイドレール本体８４ｃいよって開閉体１０の幅方向端部を囲み上下方向へ案内する。
【００８４】
上記構成の枠部材８１，８２，８３，８４は、それぞれ、開口部ａの内縁に固定され、これら全体でもって矩形枠状に構成される。そして、これら枠部材８１，８２，８３，８４の枠内には、その屋外側にサッシ枠ｂ１，ｂ２が構成され、屋内側（図示の右側）には開閉装置６が構成される。
【００８５】
よって、図１２及び図１３に示す開閉装置６の設置構造によれば、開閉体厚さ方向の幅が比較的大きい耐火性の枠部材８１，８２，８３，８４を有するため、開閉装置６と開口部ａ内縁との間に火炎や煙が通過するのを効果的に阻むことができる上、収納部本体８１ｂから開閉装置側枠部８１ａに連通する比較的広い内部空間を利用して巻取体３２及び該巻取体３２に巻かれた開閉体１０を収納することができる。また、枠部材８１，８２，８３，８４を開口部ａ内に設置する際に、別体の枠材等を介在しなくてもよいため、その設置作業性を向上することができる。
【００８６】
なお、上記態様によれば、開閉体１０を可撓性の本体シート部１１から構成したが、開閉体１０の他例としては、複数のスラットや、単数もしくは複数のパネルや、シート状物、ネット状物を開閉方向へ配設してなる態様、あるいはスラット、パネル、パイプ、シート状物、ネット状物等を適宜に組み合わせてなる態様等としてもよい。
【００８７】
また、上記態様によれば、開閉体１０を手動で開閉する構成としたが、他例としては、巻取体３２を駆動回転する開閉機（具体的には電動モータ等）を備え、該開閉機によって巻取体３２を回転させることで開閉体１０を開閉動作する構成とすることも可能である。
【００８８】
また、上記態様によれば、開閉体１０を手動で全閉することにより、開閉装置１，２，３，４，５、６が、防火設備又は特定防火設備として機能するようにしたが、他例としては、火災があった際に自動で開閉体１０が全閉し、防火設備又は特定防火設備として機能するようにしてもよい。この場合、開閉体１０を自動的に閉鎖する構造は、火災信号によって開閉体１０を自重降下させる構成や、火災信号によって上記開閉機を閉鎖方向へ動作させる構成等とすればよい。
【００８９】
また、上記態様では、開閉装置１，２，３，４，５，６を、上記法令等で規定される防火設備として構成したが、他例としては、これら開閉装置を、上記法令等で規定される特定防火設備として構成することも可能である。
【００９０】
また、上記態様では、開閉体１０をその上方側で巻き取って収納する構成としたが、他例としては、開閉体１０を横幅方向の一方側で巻き取ったり繰り出したりして横方向へ開閉動作する構成や、開閉体１０を巻き取らずに収納する構成等とすることも可能である。
【００９１】
また、上記した好ましい態様では、開閉装置１，２，３，４，５又は６の耐火性部分を耐火構造の建築物Ａの開口部ａ内縁に対し全周にわたって連続するように接触させたが、他例としては、開閉装置１，２，３，４，５又は６の耐火性部分を、建築物Ａの開口部ａ内縁に対し、その周方向の大部分で接触させるが、一部分では接触しない態様とすることも可能である。
【符号の説明】
【００９２】
１，２，３，４，５，６：開閉装置
１０：開閉体
２０：ガイドレール
２１’，８４ｃ，８３ｃ：ガイドレール本体
２２’，３３’：枠部
３０，３０’：収納部
３１：収納部本体
３２：巻取体
４０，４０”：枠部材
４１”，５１”，６１”：額材
４２”，５２”，６２”：カバー部材
２０’，５０，５０”，６０，６０’，６０”，７１，７２，７３，７４，８１，８２，８３，８４：枠部材
８１ａ：開閉装置側枠部
８１ｂ：収納部本体
Ａ：建築物
ａ：開口部
ｂ：窓サッシ
ｂ１：サッシ枠
ｂ２：窓部
ｃ：額材
【図１】
2014070349.tif 000003
【図２】
2014070349.tif 000004
【図３】
2014070349.tif 000005
【図４】
2014070349.tif 000006
【図５】
2014070349.tif 000007
【図６】
2014070349.tif 000008
【図７】
2014070349.tif 000009
【図８】
2014070349.tif 000010
【図９】
2014070349.tif 000011
【図１０】
2014070349.tif 000012
【図１１】
2014070349.tif 000013
【図１２】
2014070349.tif 000014
【図１３】
2014070349.tif 000015
【図１４】
2014070349.tif 000016
【図１５】
2014070349.tif 000017